(57)【要約】【課題】ユーザが希望する場面を簡単に検索する。【解決手段】視聴しているコンテンツを一時停止すると、一時停止された位置から離れた場面ほど時間幅が大きくなるように複数の場面に分割し、当該分割された複数の場面の代表画面を時系列にサムネイル表示する。【選択図】図４
2015135575.tif 000002
【特許請求の範囲】
【請求項１】
視聴しているコンテンツを一時停止する手段と、
前記コンテンツを一時停止すると、前記一時停止された位置から離れた場面ほど時間幅が大きくなるように複数の場面にそれぞれ分割する手段と、
前記分割された複数の場面の代表画面を時系列にサムネイル表示する手段と、
を含むことを特徴とする情報処理装置。
【請求項２】
前記サムネイル表示された代表画面の何れかが選択され、前記一時停止が解除されると、前記選択された代表画面に対応する場面から再生を開始することを特徴とする請求項１に記載の情報処理装置。
【請求項３】
前記コンテンツは配信され逐次蓄積されたバッファから読み出されるコンテンツであり、前記コンテンツを一時停止したとき、前記逐次蓄積されている先頭位置から前記一時停止された位置までが複数の場面に分割されることを特徴とする請求項１又は２に記載の情報処理装置。
【請求項４】
前記コンテンツは既に蓄積されているコンテンツであり、前記コンテンツを一時停止したとき、前記コンテンツの先頭から前記一時停止された位置までと、前記一時停止された位置から前記コンテンツの末尾までとが、それぞれ複数の場面に分割されることを特徴とする請求項１又は２に記載の情報処理装置。
【請求項５】
前記サムネイル表示と共に、前記サムネイル表示の各々に対応する代表画面の前記時系列における位置を示す時間情報を表示することを特徴とする請求項１から４の何れか１項に記載の情報処理装置。
【請求項６】
前記サムネイル表示と共に、前記サムネイル表示の各々に対応する代表画面に関連付けられた文字情報を表示することを特徴とする請求項１から５の何れか１項に記載の情報処理装置。
【請求項７】
情報処理装置の制御方法であって、
視聴しているコンテンツを一時停止すると、前記一時停止された位置から離れた場面ほど時間幅が大きくなるように複数の場面にそれぞれ分割する工程と、
前記分割する工程により分割された複数の場面の代表画面を時系列にサムネイル表示する工程と、
を含むことを特徴とする制御方法。
【請求項８】
情報処理装置のコンピュータに、
視聴しているコンテンツを一時停止すると、前記一時停止された位置から離れた場面ほど時間幅が大きくなるように複数の場面にそれぞれ分割する処理と、
前記分割する処理により分割された複数の場面の代表画面を時系列にサムネイル表示する処理と、
を実現させるためのプログラム。
【発明の詳細な説明】
【技術分野】
【０００１】
本発明は、情報処理装置、制御方法、及びプログラムに関する。
【背景技術】
【０００２】
コンテンツを再生中、既に視聴し終えたシーンにもう一度遡って視聴する場合、当該再生中のコンテンツを一時停止し、もう一度遡って視聴したいシーンを探すために巻き戻しを行い、当該シーンを再生し直すということが行われている。そして、この巻き戻しを行うスピードは、遡り量が多い場合は高速に、遡り量が少ない場合、又は再生を希望するシーンに近づいてきた場合は、低速に設定することにより、希望するシーンを探し出すことが一般的である。
【０００３】
特許文献１には、ユーザから取得する概念への重み付けを時間的観点から更新することが記載されている。すなわち、ユーザが１年前に発した言葉と、昨日発した言葉とでは、後者の重みを高めることによって、注目概念については、ユーザとの関連があった日時からの経過時間を記録し、経過時間が延びるほど、重みを減らしていく、又は経過時間が短いほど重みを上げるという制御が行われることが記載されている。そして、この概念の時間的観点からの自動更新において、人間の忘却特性、すなわち、時間と共に重みを単調減少させる間、別の関連する概念が想起されたときは重みを少し上げる等の措置を取ることが記載されている。
【０００４】
また、特許文献２には、人間は、過去の時間を認識するときは、過去の事象から現在までの経過時間に比例した時間認知幅を有し、１０日前のことなら前後１日の幅で思い起こすのであれば、１０年前のことならば前後１年の範囲を無意識に思い起こすといった、過去に遡るほど人間の記憶が指数的に曖昧になるという心理的知覚量についての法則が成立することを利用し、文書群を利用した時刻に基づいた対数メモリを持つ時間軸上に文書リストを並べることによって、容易に必要な文書を特定することができる文書処理管理装置が記載されている。
【先行技術文献】
【特許文献】
【０００５】
【特許文献１】特開２００４−３１０５３７号公報
【特許文献２】特開２００３−０８５２１０号公報
【発明の概要】
【発明が解決しようとする課題】
【０００６】
上述したような希望するシーンを探し出す場合、一時停止を行った地点から直近の場面については、まだ記憶が鮮明であるので探し出すのにそれ程多くの時間を要しない。しかしながら、一時停止を行った地点から過去に遡れば遡るほど記憶が曖昧となっており、シーンの内容を思い出しながら探し出すことになるので、辿り着くまで多大の時間を要するばかりか、挙句の果ては、希望するシーンに辿り着くことができず、コンテンツの冒頭まで戻ってしまったり、過去のシーンを何度も往復してやっと希望のシーンに辿り着いたりするといったことが行われており、使い勝手が非常に悪いという問題があった。
【０００７】
また、特許文献１に記載された技術は、単に人間の忘却特性の傾向が、直近に起きたことに対しては記憶が鮮明で、過去に遡れば遡るほど記憶が曖昧になる傾向にあることを述べているに過ぎず、この人間の忘却特性を、再生中のコンテンツに対して、どのように活用していくかという点については全く言及されていない。
【０００８】
さらに、特許文献２に記載された技術は、表示装置に、時間軸をグラフィカルな棒状の線、又は細長い領域で指定し、時間軸上に日時、又は時刻を表示することによって、ユーザが関心のある文書群全体を容易に把握できる視覚効果を提示し、ユーザは必要な文書を選択し、閲覧、印刷、編集等様々な業務を行い、文書を拡大表示することにより使い易くなったことが記載されているが、過去に遡るほど人間の記憶が指数的に曖昧になるという心理的知覚量についての法則を、ユーザが閲覧したコンテンツに対してどのように利用するかについては何ら言及されていない。
【０００９】
そこで本発明は、上記従来の問題点に鑑みてなされたもので、既に視聴を行った各シーンを、過去に遡るに連れて時間幅が長くなるよう複数の場面に分割して表示することにより、ユーザが希望する場面を簡単に検索することが可能な情報処理装置、制御方法、及びプログラムを提供することを目的とする。
【課題を解決するための手段】
【００１０】
上記課題を解決するため、請求項１に記載の本発明における情報処理装置は、視聴しているコンテンツを一時停止する手段と、前記コンテンツを一時停止すると、前記一時停止された位置から離れた場面ほど時間幅が大きくなるように複数の場面にそれぞれ分割する手段と、前記分割された複数の場面の代表画面を時系列にサムネイル表示する手段と、を含むことを特徴とする。
【００１１】
また、請求項２に記載の情報処理装置は、請求項１に記載の情報処理装置において、前記サムネイル表示された代表画面の何れかが選択され、前記一時停止が解除されると、前記選択された代表画面に対応する場面から再生を開始することを特徴とする。
【００１２】
さらに、請求項３に記載の情報処理装置は、請求項１又は２に記載の情報処理装置において、前記コンテンツは配信され逐次蓄積されたバッファから読み出されるコンテンツであり、前記コンテンツを一時停止したとき、前記逐次蓄積されている先頭位置から前記一時停止された位置までが複数の場面に分割されることを特徴とする。
【００１３】
また、請求項４に記載の情報処理装置は、請求項１又は２に記載の情報処理装置において、前記コンテンツは既に蓄積されているコンテンツであり、前記コンテンツを一時停止したとき、前記コンテンツの先頭から前記一時停止された位置までと、前記一時停止された位置から前記コンテンツの末尾までとが、それぞれ複数の場面に分割されることを特徴とする。
【００１４】
そして、請求項５に記載の情報処理装置は、請求項１から４の何れか１項に記載の情報処理装置において、前記サムネイル表示と共に、前記サムネイル表示の各々に対応する代表画面の前記時系列における位置を示す時間情報を表示することを特徴とする。
【００１５】
また、請求項６に記載の情報処理装置は、請求項１から５の何れか１項に記載の情報処理装置において、前記サムネイル表示と共に、前記サムネイル表示の各々に対応する代表画面に関連付けられた文字情報を表示することを特徴とする。
【００１６】
さらに、上記課題を解決するため、請求項７に記載の本発明における制御方法は、情報処理装置の制御方法であって、視聴しているコンテンツを一時停止すると、前記一時停止された位置から離れた場面ほど時間幅が大きくなるように複数の場面にそれぞれ分割する工程と、前記分割する工程により分割された複数の場面の代表画面を時系列にサムネイル表示する工程と、を含むことを特徴とする。
【００１７】
また、上記課題を解決するため、請求項８に記載の本発明におけるプログラムは、情報処理装置のコンピュータに、視聴しているコンテンツを一時停止すると、前記一時停止された位置から離れた場面ほど時間幅が大きくなるように複数の場面にそれぞれ分割する処理と、前記分割する処理により分割された複数の場面の代表画面を時系列にサムネイル表示する処理と、を実現させることを特徴とする。
【発明の効果】
【００１８】
本発明によれば、再生中のコンテンツを一時停止すると、一時停止された位置から離れた場面ほど時間幅が大きくなるように複数の場面にそれぞれ分割し、当該分割された複数の場面の代表画面を時系列にサムネイル表示することにより、ユーザが希望する場面を簡単に検索することが可能な情報処理装置、制御方法、及びプログラムが得られる。
【図面の簡単な説明】
【００１９】
【図１】本発明の実施形態における情報処理装置を含む情報処理システムの全体の構成を示す図である。
【図２】本発明の実施形態における情報処理装置の全体構成について説明する概略ブロック図である。
【図３】本発明の実施形態における情報処理装置の機能ブロック図である。
【図４】本発明の実施形態における情報処理装置の動作について説明する図である。
【図５】本発明の実施形態における情報処理装置の動作について説明するフローチャートである。
【発明を実施するための形態】
【００２０】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、視聴しているコンテンツを一時停止する手段と、コンテンツを一時停止すると、一時停止された位置から離れた場面ほど時間幅が大きくなるように複数の場面にそれぞれ分割する手段と、分割された複数の場面の代表画面を時系列にサムネイル表示する手段と、を含むことにより、ユーザが希望する場面を簡単に検索することができるのである。
【００２１】
まず、図１を用いて本発明の実施形態における情報処理装置を含む情報処理システムの全体の構成について説明する。図１は、本発明の実施形態における情報処理装置を含む情報処理システムの全体の構成を示す図である。図１を参照すると、本発明の実施形態における情報処理装置を含む情報処理システム１０は、例えば、パーソナルコンピュータ（以下、ＰＣともいう。）を代表とする情報処理装置２００が、インターネット等の広く公衆によって接続可能なネットワーク３００を介してＷｅｂサーバ４００に接続されている。また、ＰＣ２００は、放送局１００から送信される放送波を受信することができるようになっている。なお、ＰＣ２００には、ＰＣ以外に他の携帯情報端末も含まれることは勿論である。
【００２２】
また、Ｗｅｂサーバ４００は、ＰＣ２００と、インターネット等のネットワーク３００を介して接続されている。そして、ＰＣ２００を例とする情報処理装置から発せられた任意のＷｅｂページに接続したい旨のアクセス要求に対して、ＵＲＬ（Uniform Resource Locator）で特定されたＷｅｂサーバ４００から提供されるＷｅｂページの閲覧が可能となる。なお、図１中には、インターネット等のネットワーク３００に対してＰＣ２００のみ接続されているが、情報処理装置は１台に限定されず、複数台接続されていることはいうまでも無い。
【００２３】
次に、本発明の実施形態における情報処理装置の全体構成について説明する。図２は、本発明の実施形態における情報処理装置の全体構成について説明する概略ブロック図である。ＰＣ２００は、ＴＶチューナ部２０１と、ネットワーク接続部２０５と、ＣＰＵ（Central Processing Unit）２０６と、ＲＯＭ（Read Only Memory）２０２と、ＲＡＭ（Random Access Memory）２０３と、ＨＤＤ（Hard Disk Drive）２０４と、表示部２０７と、入力部２０８と、電源部２０９とから構成される。
【００２４】
ＴＶチューナ部２０１は、放送局１００から送信される地上デジタル、ＢＳ（Broadcasting Satellite）、及びＣＳ（Communications Satellite）放送をアンテナから受信し復調するものである。ネットワーク接続部２０５は、インターネットに代表されるネットワーク３００に接続され、ネットワーク３００とのインタフェースを図るものである。ＣＰＵ２０６は、ＰＣ２００全体の動作を制御するものであり、ＲＯＭ２０２に格納された制御プログラムをロードし、ＰＣ２００の動作によって得られた様々なデータをＲＡＭ２０３に展開するものである。ＨＤＤ２０４は、ＰＣ２００のアプリケーションソフトウェアプログラムを格納したり、ＴＶチューナ部２０１によって受信されたテレビ番組（以下、コンテンツともいう。）を録画したりするものである。
【００２５】
表示部２０７は、ＬＣＤ（Liquid Crystal Display）等で構成される表示画面であり、ＰＣ２００によって実行されたアプリケーションソフトウェアプログラムの結果やＴＶチューナ部２０１によって受信されたテレビ番組を表示するものである。入力部２０８は、キーボード、マウス、タッチパネル等、ユーザがＰＣ２００に対して指示を与えるものである。そして、電源部２０９は、ＰＣ２００に対してＡＣ（Alternative Current：交流）、又はＤＣ（Direct Current：直流）電源を与えるものである。
【００２６】
次に、本発明の実施形態における情報処理装置の機能ブロックについて説明する。図３は、本発明の実施形態における情報処理装置の機能ブロック図である。
【００２７】
図３において、ＰＣ２００は、放送局１００（図１）から送信される放送波を受信する複数のチューナ部２１０、２１１、２１２、及び２１３と、チューナ部２１０、２１１、２１２、及び２１３により復調されたテレビ番組（コンテンツ）を記録し再生するコンテンツ記録再生部２１４と、コンテンツ記録再生部２１４に記録されているテレビ番組（コンテンツ）、及び後述する動画情報取得記録部２１９に記録されているコンテンツを管理する格納情報管理部２１７と、液晶（ＬＣＤ）等のディスプレイ２２１にテレビ番組を表示する動画表示処理部２１５と、を含んで構成されている。
【００２８】
なお、ディスプレイ２２１には、ライブ放送されているテレビ番組の画面、録画されたテレビ番組の再生画面、録画されたテレビ番組の一覧表が表示されることは勿論であるが、後述するネットワーク接続処理部２２０によって取得されたＷｅｂサーバ４００に格納されたＷｅｂ上のコンテンツも表示される。
【００２９】
さらに、ＰＣ２００は、インターネット等の公衆に利用可能なネットワーク３００（図１）を介してＷｅｂサーバ４００に接続するためのネットワーク接続処理部２２０と、格納情報管理部２１７によって管理されたコンテンツを、時系列的に処理する映像解析処理部２１６と、ディスプレイ２２１に映像解析処理部２１６で処理されたコンテンツを時系列的にディスプレイ２２１に表示する動画表示処理部２１５と、を含んで構成されている。
【００３０】
また、ＰＣ２００は、放送局１００（図１）から送信されるライブ放送されているテレビ番組、録画されたテレビ番組、Ｗｅｂサーバ４００からネットワーク３００（図１）を介してネットワーク接続処理部２２０から取得された不特定多数のユーザが投稿し、共有し、視聴できる動画サイト等の情報を取得し記録する動画情報取得記録部２１９を含んで構成されている。
【００３１】
次に、本発明の実施形態における情報処理装置の動作について説明する。図４は、本発明の実施形態における情報処理装置の動作について説明する図である。
【００３２】
図４（ａ）において、ユーザが何らかのコンテンツを視聴している状態で、リモコン２２２の図示しない一時停止ボタンを押下すると、コンテンツは一時停止状態になると共に消音（ミュート）状態となる。そうすると、ＰＣ２００のディスプレイ２２１の下部にセリフ群２６０が表示される。なお、図４（ｂ）では、ディスプレイ２２１の下部にセリフ群２６０が表示されることとしているが、セリフ群２６０は、ディスプレイ２２１の任意の場所に表示されるようにしても良い。
【００３３】
このセリフ群２６０は、視聴しているコンテンツの冒頭部分から一時停止された部分に至るまでの各場面が、冒頭部分では長い時間間隔で、冒頭部分から一時停止された部分に至るに連れて徐々に短い時間間隔で複数の場面にそれぞれ分割され、この分割されたそれぞれの場面の冒頭部分が時系列に並べて表示される。すなわち、一時停止された位置から離れた場面ほど時間幅が大きくなるように複数の場面にそれぞれ分割してサムネイル表示される。そして、それぞれの場面毎に字幕データからセリフが抽出され表示される。このように過去から現在に至るにつれて徐々に短い時間間隔としているのは、普段、早送りや巻戻しを行う場合の、時間幅と精度とを考慮したものであり、これは人間の感覚量が、対数量に比例するといったウェーバー・フェヒナーの法則を利用したものである。
【００３４】
次に、図４（ｂ）の場合、コンテンツの冒頭から２０分間が１つのシーンとして分割され、セリフＡが表示される。次に、コマーシャル明けからの１５分間が１つのシーンとして分割され、セリフＢが表示される。そして、一時停止した地点から６０分前からの１０分間が１つのシーンとして分割され、セリフＣが表示される。さらに、一時停止した地点から３０分前からの５分間が１つのシーンとして分割され、セリフＤが表示される。そして、一時停止した地点から１５分前からの１分間が１つのシーンとして分割され、セリフＥが表示される。最後に、一時停止した地点から５分前からの３０秒間が１つのシーンとして分割され、セリフＦが表示される。
【００３５】
すなわち、サムネイル表示された各シーンの代表画面と共に、各シーンの代表画面に対応する時系列における位置を示す時間情報、及び各シーンの代表画面に関連付けられたセリフ（文字情報）が表示される。例えば、図４（ｂ）では、コンテンツの冒頭から２０分間の代表画面とコンテンツの冒頭から２０分間である旨の時間情報とセリフＡ、コマーシャル明けからの１５分間の代表画面とコマーシャル明けからの１５分間である旨の時間情報とセリフＢ、一時停止した地点から６０分前からの１０分間の代表画面と一時停止した地点から６０分前からの１０分間である旨の時間情報とセリフＣ、一時停止した地点から３０分前からの５分間の代表画面と一時停止した地点から３０分前からの５分間である旨の時間情報とセリフＤ、一時停止した地点から１５分前からの１分間の代表画面と一時停止した地点から１５分前からの１分間である旨の時間情報とセリフＥ、及び一時停止した地点から５分前からの３０秒間の代表画面と一時停止した地点から５分前からの３０秒間である旨の時間情報とセリフＦとが、ディスプレイ２２１に表示される。
【００３６】
そして、各シーンがサムネイル表示された状態で、図４（ｃ）に示すように、ユーザがリモコン２２２の十字キー２８０を用いてセリフ群２６０の中から希望するシーンを選択した後に決定キー２７０を押下する。そして、図４（ｄ）に示すように、ユーザがリモコン２２２の再生ボタン２５０を押下することにより、ユーザが希望するシーンを簡単に再生することができる。すなわち、サムネイル表示された代表画面の何れかを選択し、一時停止を解除すると、選択された代表画面に対応する場面から再生が開始される。なお、図６では、ＰＣ２００を遠隔操作する専用のリモコン２２２として説明を行っているが、ＰＣ２００を遠隔操作するリモコンとして、スマートフォン等の携帯情報端末を使用することも可能である。スマートフォンをＰＣ２００のリモコンとして使用する場合、液晶（ＬＣＤ）画面に図４に示す各種ボタンを表示させ、液晶（ＬＣＤ）画面の表示パターンに合わせて、ボタンの割り当てを変えることも可能である。また、リモコンを用いることなく、ジェスチャー操作等によってＰＣ２００を遠隔操作するようにしても良い。
【００３７】
また、図４（ｂ）に示すように時系列にセリフ群２６０がサムネイル表示されるコンテンツがライブコンテンツであった場合、一時停止している間においてもライブコンテンツは進行状態にある。そこで、コンテンツの視聴を一時停止している間においても、進行状態にあるライブコンテンツを漏れなく記録するため、ＰＣ２００はライブ配信されているコンテンツを逐次蓄積するキャッシュ録画機能（バッファ）を備えており、当該バッファからライブ配信されているコンテンツが読み出されることを前提としている。
【００３８】
さらに、図４では、一時停止するコンテンツとしてライブ放送されているコンテンツを対象として説明しているが、ライブ放送されているコンテンツに限定されることなく、既に動画情報取得記録部２１９に記録されている録画済のコンテンツを再生し、一時停止する場合も想定される。
【００３９】
この場合、動画情報取得記録部２１９に蓄積されている録画済のコンテンツを再生中に一時停止した場合、録画済のコンテンツの先頭部分から一時停止された位置までと、一時停止された位置から録画済のコンテンツの末尾部分までとが、複数の場面にそれぞれ分割してディスプレイ２２１にサムネイル表示される。そして、この場合も、一時停止された位置から離れた場面、すなわち、一時停止された位置から録画済のコンテンツの先頭部分、及び末尾部分に至るほど時間幅が大きくなるようにサムネイル表示される。さらに、サムネイル表示された各シーンの代表画面と共に、各シーンの代表画面に対応する時系列における位置を示す時間情報、及び各シーンの代表画面に関連付けられたセリフ（文字情報）が表示される点、及びサムネイル表示された代表画面の何れかを選択し、一時停止を解除すると、選択された代表画面に対応する場面から再生が開始される点は、ライブ放送されているコンテンツと同様である。
【００４０】
次に、本発明の実施形態における情報処理装置の動作について説明する。図５は、本発明の実施形態における情報処理装置の動作について説明するフローチャートである。
【００４１】
まず、ステップ（以下、Ｓという。）５０１の処理において、ユーザが視聴するコンテンツがライブであるか否かが判断される。ライブである（Ｓ５０１：ＹＥＳ）と判断されるとＳ５０２の処理へ移行する。ライブでない（Ｓ５０１：ＮＯ）と判断されると、Ｓ５０３の処理へ移行する。
【００４２】
Ｓ５０２の処理では、視聴するコンテンツがキャッシュ録画される。これは、上述したように、後に一時停止された場合であっても、進行するライブコンテンツを漏れなく記録するためである。Ｓ５０３の処理では、一時停止操作がされたか否かが判断される。一時停止操作がされた（Ｓ５０３：ＹＥＳ）と判断されたときは、Ｓ５０４の処理へ移行する。一時停止操作がされない（Ｓ５０３：ＮＯ）と判断されたときは、処理を終了する。
【００４３】
Ｓ５０４の処理では、視聴するコンテンツの冒頭部分から一時停止操作がされた部分までの各シーンを、各時間幅が降順となるよう複数のシーンに分割する。Ｓ５０５の処理では、分割された複数のシーンにセリフがあるか否かが判断される。セリフがある（Ｓ５０５：ＹＥＳ）と判断されたときは、Ｓ５０６の処理へ移行する。セリフがない（Ｓ５０５：ＮＯ）と判断されたときは、Ｓ５０７の処理へ移行する。
【００４４】
Ｓ５０６の処理では、分割された各シーンにおいて字幕データからセリフが抽出される。Ｓ５０７の処理では、分割された複数のシーンをディスプレイ２２１に時系列にサムネイル表示する。Ｓ５０８の処理では、分割された複数のシーンの中から特定のシーンがユーザによって選択されたか否かが判断される。特定のシーンが選択された（Ｓ５０８：ＹＥＳ）と判断されたときは、Ｓ５０９の処理へ移行し、特定のシーンが選択されない（Ｓ５０８：ＮＯ）と判断されたときは、処理を終了する。
【００４５】
Ｓ５０９の処理では、選択された特定シーンの再生指示がされたか否かが判断される。再生指示がされた（Ｓ５０９：ＹＥＳ）と判断されたときは、Ｓ５１０の処理へ移行し、再生指示がされない（Ｓ５０９：ＮＯ）と判断されたときは、処理を終了する。Ｓ５１０の処理では、再生指示がされたシーンを再生し、処理を終了する。
【００４６】
なお、図５に示した本発明の実施形態における情報処理装置（ＰＣ）２００を構成する各機能ブロックの各動作は、コンピュータ上のプログラムに実行させることもできる。すなわち、情報処理装置２００のＣＰＵ２０６が、ＲＯＭ２０２、ＲＡＭ２０３等から構成される記憶部に格納されたプログラムをロードし、プログラムの各処理ステップが順次実行されることによって行われる。
【００４７】
以上説明してきたように、本発明によれば、視聴しているコンテンツを一時停止する手段と、コンテンツを一時停止すると、一時停止された位置から離れた場面ほど時間幅が大きくなるように複数の場面にそれぞれ分割する手段と、分割された複数の場面の代表画面を時系列にサムネイル表示する手段と、を含むことにより、ユーザが希望する場面を簡単に検索することができるのである。
【００４８】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４９】
１００    放送局
２００    情報処理装置（ＰＣ）
２０１    ＴＶチューナ部
２０２、４０１    ＲＯＭ
２０３    ＲＡＭ
２０４    ＨＤＤ
２０５    ネットワーク接続部
２０６    ＣＰＵ
２０７    表示部
２０８    入力部
２０９    電源部
２１０、２１１、２１２、２１３    チューナ部
２１４    コンテンツ記録再生部
２１５    動画表示処理部
２１６    映像解析処理部
２１７    格納情報管理部
２１９    動画情報取得記録部
２２０    ネットワーク接続処理部
２２１    ディスプレイ
２２２    リモコン
２５０    再生ボタン
２６０    セリフ群
２７０    決定キー
２８０    十字キー
３００    ネットワーク
４００    Ｗｅｂサーバ
【図１】
2015135575.tif 000003
【図２】
2015135575.tif 000004
【図３】
2015135575.tif 000005
【図４】
2015135575.tif 000006
【図５】
2015135575.tif 000007